(57)【要約】【課題】疲れた心を癒すことができ、且つ、光源が受ける埃の影響をできる限り少なくし、故障が少なくコースターとしても使用できる装飾機能を備えた台を提供することである。【解決手段】発光体等の光源を備えた台であって、前記光源から発する光を透過する光り透過部と、前記光源と前記光に電流を制御伝達する回路部を本体の上部の内面に設けると共に、裏蓋を着脱自在に構成したことである。【選択図】        図１
2004175089.tif 000002
【特許請求の範囲】
【請求項１】
発光体等の光源を備えた台であって、前記光源から発する光を透過する光透過部と、前記光源から発する光を強弱点滅させるための電流を制御する回路部と、電源用電池とを本体の上部の内面に設けると共に、裏蓋を着脱自在に構成したことを特徴とする装飾機能を備えた台。
【請求項２】
発光体の光源として複数の発光ダイオードを用い、見る人の心リラックスさせ、心身の疲れを癒すために、前記発光ダイオードから発する複数の光色の強弱、点滅により、前記光の色を合成し、あらゆる色の光に変化させる請求項１記載の装飾機能を備えた台。
【発明の詳細な説明】
【０００１】
【産業上の利用分野】
本発明は、光源から発する複数の光りを合成し、あらゆる色彩光に変化させ、上に載せた置物等を装飾し、見る人の心身の疲れを癒す台に関する物である。
【０００２】
【従来の技術】
従来、発光ダイオード等を用いた装飾の台は、単色の光線か又は複数の光源を用いているが、瞬時に点灯し、瞬時に消灯を繰り返しつつ装飾するものが実用に供せられているが、瞬間的に点灯し又は光りが変化するため、華やかで人目を引く装飾であるが、疲労時や物思いにふける等に於いては極めて煩わしく、特に精神疲労時はこの傾向が著しい。
【０００３】
又、光源から発する光を徐々に変化させる装飾台では、装飾台の表面に設けた光線通過のための開口部の直下に、光源が設けてあり、埃等が附着して光源からの照度を著しく低下させるほか、誤って水等をこぼすと故障する。
【０００４】
更に、上記の何れの装飾台に於いても、装飾台の底板の内面に配線や、電源や光源が設けてあるため、コースター等に用いるとグラスの外面の水滴が付き故障の原因となっている。
【０００５】
【発明が解決しようとする課題】
上記従来技術に依れば、楽しく鑑賞することでき、且つ、見る人の心身の疲れを癒し、且つ、埃の附着による光源の輝度の低下がなく、故障が少なく、コースターにも使用できる装飾機能を備えた台を提供することである。
【０００６】
【課題を解決する手段】
本発明は、発光体等の光源を備えた台であって、前記光源から発する光が透過する光り透過部と、前記光源から発する光を強弱点滅させるための電流を制御する回路部と、電源用電池とを本体上部の内面に設けると共に、裏蓋を着脱自在に構成したことである。
【０００７】
又、発光体の光源として複数のダイオードを用い、見る人の心をリラックスさせ、心身の疲れを癒すために前記発光ダイオードから発する複数の光色の強弱、点滅により、前記光の色を合成し、あらゆる色の光に変化させることである。
【０００８】
【発明の実施の形態】
合成樹脂、又は木、又は金属その他ある程度の硬度を有する素材を用いて、容器状の本体２を形成し、の上部に開口部Ｘを設け、この開口部Ｘに光りが透過する部材を用いて形成した光透過部３を押圧挿入し、水等の液体が開口部Ｘと、光透過部３の隙間から、侵入することの無いように、光透過部３が構成されている。
【０００９】
更に、この光透過部３の直下に光源４を設けてあり、この時、光源４は回路を構成する基板８に設け、基板８は、本体２の上部内面に設けた、複数の基板受け部ｇ、ｇ、ｇ、ｇによって、一定の高さに設定されると共に、基板掛止部９に掛止され、且つ、電源ホルダー５の側部５Ｙによって横揺れを防止している。
【００１０】
この時、基板掛止部９は基板８が一定の位置に安定的に保持できるように、掛止用の段部９Ａを設けるとよく、ある程度の弾発力を有することが望ましい。
【００１１】
更に、本体２の内部に電源４となる電池を保持する電源ホルダー５を設けると良く、側部５Ｙが基板８を狭持し横揺れを防止する形態であることが望ましく、基板８に接する部分以外を、切り欠いて形成することも可能で、本体２と一体成型するとも可能である。
【００１２】
本体２の側縁部２０の適宜位置にスイッチ１３を設け、スイッチ１３を取り付け及び、操作するための開口部１０を設けると共に、外部から電源を求めるＣＤアダプタのコンセント１２を備えるための開口部１１を設けることもできる。
【００１３】
側縁部２０の内面適宜位置に、裏蓋２を着脱自在に保持するために、ある程度の大きさの掛止部７と、突起７２を設けることが好ましい。
【００１４】
【実施例】
以下本発明の実施例を図面に基づいて説明すると、図１は本体２の内部を示すす平面図で、本発明のほんの一例で、プラスチック又は木等を用いて容器状の本体２を形成し、底部を上にして（容器を伏せた状態）用いるもので、この上部に図２又は図３に示すような開口部Ｘを設ける。
【００１５】
開口部Ｘには光りが透過する素材、例えば透明な合成樹脂又は、ガラス等を用いて形成し、開口部Ｘと光透過部３の関係に於いては、ある程度の防水機能を発揮し、且つ、嵌着可能な大きさと厚みに形成するとよい（図２又は図３）。
光透過部３は開口部Ｘに圧入嵌着し、光透過部３が脱落しないよう、又、防水機能を発揮するように形成してあるが、必要に応じ接着することも可能である。
【００１６】
又、（図示しないが）開口部Ｘを形成した本体２の面に接着、又は溶着等の手段を用いて透明部材を設け、光透過部３を形成することも可能である。
更に（図示しないが）光りが透過する樹脂等を用いて、本体２を一体成型することも可能で、この場合、光りが透過する部分のみを残し、シールするか又は、塗装等の手段によって、光透過部３を構成することも可能であり、本体２を透明のまま形成、本体２全体を光が透過可能に構成することも可能である。
【００１７】
光透過部３の直下に、光源４を設けてあり（図２）、この光源４は複数の発光ダイオードを用いる場合、例えば赤色、青色、緑色の光りの三原色を用いて合成することで、あらゆる色の光を発光することが可能である。
又、この他に、一個の発光ダイオードで多種類の色の光を発する（商品名フルカラーランプ）を用いることも可能である。
【００１８】
更に、光りの三原色を合成するに於いては、メモリー機能を有するＩＣを用いて、電圧及び電流を制御し、複数の合成のパターンを書き込み、用いることが望ましく、特にできるだけ多くの合成のパターンを設定し、書き込むことが好ましい。
このパターンによって、見る人をリラックスさせ、心身の疲れを癒す為に適切な、色の光りと変化の速度が、ゆったりとして優雅な雰囲気を醸し出すように構成してある。
【００１９】
光透過部３の大きさは、光源４から発する光を遮ることのない大きさであって、光源４に近接して構成されている。
従って、本実施例に於いては、複数の光源４を設けた直径より、光透過部３の直径を大きく形成してあり、光源４から発する光線を遮蔽したり、妨げることはない。
【００２０】
光源４は、回路を形成する基板８に設けてあり、基板８を安定的に保持するために、本体２の内面に一端の平面（容器状の底部面）に複数の基板掛止部９及び複数の基板受け部ｇ、ｇ、ｇ、ｇを設けてある。
【００２１】
図３、基板８を確実、且つ、安定的に保持するための構造について説明すると、基板掛止部９を本体２の内面に立設し、且つ、弾発性を備えた基部掛止基部９Ｋを形成してあり、基部掛止基部９Ｋは図３に於いては肉薄状に形成してあるが、形状を細く形成しすることも可能である。
【００２２】
基板掛止部９は、対向する基板掛止端部９Ｔ、９Ｔの距離が基板８の長手方向の長さより長く形成し、傾斜９Ｒを介して段部９Ｎを形成すると共に、弾発性を備えた基板掛止基部９Ｋによって構成されている。
【００２３】
従って、基板掛止端部９Ｔの方向に、基板８を当て、押圧すると基板８の両端部は対向する傾斜９Ｒの面を滑動して下降する。
この時、基板掛止部９は弾発性を備えた基板掛止基部９Ｋが反り返って基板８の端部は段部９Ｎによって狭持、掛止されると共に、基板受け部ｇ、ｇ、ｇ、ｇの端部の面を基板載置面ｇ２、ｇ２、ｇ２、ｇ２、として形成し、この基板載置面ｇ２、ｇ２、ｇ２、ｇ２に基板８は当り載置される。
この時、光源４が光透過部３の直下の最適な位置にセットされるように構成されている。
従って、基板８は最適な一定の高さに、安定的に掛止保持される。
【００２４】
更に、一定の高さに保持された基板８が、横方向に移動することを防止するために、一方の電源ホルダー５の側部５Ｙと、他方の電源ホルダー５の側部５Ｙの距離を基板８が挿入し、移動しない距離とすることが望ましい。
基板掛止部９と基板受け部ｇと側部５Ｙの関係は、図３の一部を拡大した切り欠きの斜視図によって説明すると、基板８の長手方向に対し、一定の位置に保持する作用は、対向する掛止部９に依ってなされており、他方向に対しては基板８を中央にして振り分けられた電源ホルダー５、５の側部５Ｙ、５Ｙが基板８の狭い幅方向に対し、対向する様に設け、この対向する側部５Ｙ、５Ｙの距離は、基板８の幅を適切な状態で狭持可能に形成し、安定的に一定の位置にセットすることが望ましい。
この場合で側部５Ｙは電源の挿入や取り出し時、指等を懸けやすくするため、一部を切り欠いて設けることが好ましい。
【００２５】
従って、本体２の内面の基板掛止部９を設けた近傍に、電源６となる複数の電池を収納する、電源ホルダー５、５を設けてあり、一例として述べれば、因みに本実施例に於いては、単三の乾電池を電源ホルダー５に、それぞれ二本づつ合計四本を収納可能に形成してあるが、この限りではない。
【００２６】
又、電源として交流を直流に変換し、小電源とするＤＣアダプターのコンセント（差し込み式接続具）１２を設けると共に、アダプターのコンセント１２にプラグを挿入するための、アダプター用開口部１１を本体側縁部２０の適宜位置に設け（図１）、アダプターを介して外部の電源（一般ＡＣコンセントを電源とする）を使用し、長時間の光りによる装飾を可能にすることもできる。
【００２７】
更に、本体側縁部２０にスイッチ用開口部１０を設けると共に、スイッチ用開口部１０の直下に、電源６の回路を開閉するスイッチ１３を設けてあり、このスイッチ用開口部１０を介して、スイッチ１３を操作するように形成してある。
【００２８】
更に、本体側縁部２０の内面の適宜位置に、裏蓋１（図４）を挿脱自在に挿入するための、ある程度の大きさの突起７Ｂを内設すると共に、裏蓋１を一定の位置に導き且つ、掛止するための突起７２を本体側縁部２０の適宜位置に内設してある（図１）。
【００２９】
又、裏蓋１の周縁の適宜位置には突起７２を的確な位置に掛止し、且つ、本体２と裏蓋１を嵌入保持した状態に於いて、裏蓋１の外面を平坦に構成するために段落部７１を設けると共に、弾発性を備えた掛止部７を設けてあり、この掛止部７（図６）は裏蓋１に、略Ｕ字状の弾発部Ｆが形成してあり、本体２に裏蓋１を嵌入した場合、突起７Ｂに当接する段部７Ｍ、７Ｍは、弾発部Ｆの一部の側部に傾斜Ｈを介して設けてあり、掛止部７と段部７Ｍによって突起７Ｂを握持し、一定の位置に裏蓋１を安定的に嵌入保持するように構成してある。
【００３０】
従って、本発明の装飾機能を備えた台を使用するには、電源の電池を挿入し、突起７２に段落用突起７１を掛止した後、本体２内に裏蓋１を挿入し突起７Ｂに掛止部７を掛止した後、所定の位置に本発明の装飾機能を備えた台を置き、スイッチ１３をＯＮ側に移動させると、回路に電源６の電流が流れて、光源４が点灯すると共に、回路に於けるメモリーＩＣに記憶させてある合成パターンが作用し、光源４が発光すると共に、光源４の光度は変化し、発光する光りの色を合成して、様々な色の光りとなって光透過部３を透過し、外部に達する。
【００３１】
このため、光透過部３上に透明又は半透明の物体、特に置物当を載置するに於いては、様々な色の光りが様々なパターンで載置された置物等に当たる結果、光りの一部は透過し、又は内部で反射し、又は乱反射を繰り返し、且つ、色が様々に変化する等、楽しく鑑賞することができると共に、見る人の心を和ませることができると共に、リラックスさせて心身の疲れを癒すことができる。
【００３２】
又、光源４が本体２上部内に設けてあり、且つ、本体２の上部に光透過部３が防水機能を有する程度に設けてあるから、光源４に埃が附着したり、汚れるおそれはなく、コースターとして使用しても、本体２の上面に載置したグラス等の表面に結露が生じ流出しても、本体２の内部に流れ込むこともなく、且つ、故障を起こすことのない装飾機能を備えた台となる。
【００３３】
【発明の効果】
上記の如く、心身ともに疲れを感じた場合、好みの透明又は半透明又は着色光を受け、美しく映える置物又は氷の破片を収容したグラス等、乱反射をきたし美しく心を和ませる物を載置、楽しく鑑賞することができ、且つ、リラクゼーションにより見る人の心身を癒し、光源に埃が附着し、光源の輝度が低下することもなく、故障が少なく、コースターとして使用することもでき、美しい、装飾機能を備えた台を提供することができる。
【図面の簡単な説明】
【図１】本発明の本体内部を示す平面図である。
【図２】本発明を組み立てた状態を示す一部切り欠きの斜視図である。
【図３】基板を安定的に保持する部分の一部を拡大して示す切り欠き斜視図である。
【図４】裏蓋の内面を示す平面図である。
【図５】裏蓋の外面を示す平面図である。
【図６】裏蓋のＢ、Ｂ｀断面図である。
【符号の説明】
１  裏蓋
２  本体
Ｘ  開口部
３  光透過部
４  光源
５  電源ホルダー
５Ｙ  側部
６  電源
７  掛止部
７Ｂ  突起
Ｆ  弾発部
Ｈ  傾斜
７Ｍ  掛止段部
８  基板
ｇ  基板受け部
ｇ２  基板載置面
９  基板掛止部
９Ｋ  基板掛止基部
９Ｎ  段部
９Ｒ  傾斜
９Ｔ  基板掛止端部
１０  スイッチ用開口部
１１  アダプター用開口部
１２  アダプターのコンセント
１３  スイッチ
２０  本体側縁部
３０  縁部突状体
７１  突起用段部
７２  突起
【図１】
2004175089.tif 000003
【図２】
2004175089.tif 000004
【図３】
2004175089.tif 000005
【図４】
2004175089.tif 000006
【図５】
2004175089.tif 000007
【図６】
2004175089.tif 000008